(57)【要約】  プラスチッククロージャーは、合わせる容器に高速でクロージャーを取付け易くするために、上壁部分と、および少なくとも一つの内側ねじ山形成部を有する環状の垂れ下がるスカート部分とを含み、このクロージャーは、クロージャーの内側ねじ山形成部のねじ山開始点に対して円周方向に間隔を空けた関係で配置された取付けガイド機能を含む。この取付けガイド機能は、合わせる容器の外側ねじ山形成部の下面と係合するように形成され、これによりクロージャーが高速取付け装置で容器に取付けられる場合にクロージャーのコッキング、傾き、および他の不整列が回避される。【選択図】図５
2015521139.tif 000002
【特許請求の範囲】
【請求項１】
上壁部分と、および該上壁部分から垂れ下がる環状スカート部分とを有する、容器用のクロージャーであって：
該スカート部分が、該容器の１もしくは複数の外側ねじ山形成部とそれぞれ係合するための１もしくは複数の内側ねじ山形成部を含み、該各内側ねじ山形成部はそれぞれの螺旋により規定されており、そしてそれぞれが該上壁部分とは反対側にねじ山開始点を有し；
該スカート部分が、さらに該スカート部分の内面上に配置された少なくとも一つの取付けガイド要素を含み、該取付けガイド要素は該各螺旋から垂直方向に中心線が外れ、そして該各ねじ山開始点から円周方向にずれており、該ガイド要素は該クロージャーを該容器にねじ込み式で取付け易くするために、該容器のネック部分の該１もしくは複数の外側ねじ山形成部の一つと係合可能である、前記クロージャー。
【請求項２】
前記の取付けガイド要素が、前記クロージャーの円周の周りに１８０度未満で広がる、請求項１に記載の容器用クロージャー。
【請求項３】
前記容器の前記ネック部分が一つの外側ねじ山形成部を規定し、そして前記クロージャーの前記スカート部分が一つの内側ねじ山形成部を規定し、前記取付けガイド要素は、該一つの内側ねじ山形成部のねじ山開始点から約１８０度円周方向に間隔を空けた点に中心がある、請求項１に記載の容器用クロージャー。
【請求項４】
前記クロージャーのスカート部分が一対の内側ねじ山形成部を規定し、該スカート部分が複数の前記取付けガイド要素を含み、各該取付けガイド要素が該複数の内側ねじ山形成部のそれぞれ一つのねじ山開始点から約９０度円周方向に間隔を空けた点に中心がある、請求項１に記載の容器用クロージャー。
【請求項５】
前記取付けガイド要素が、前記１もしくは複数の内側ねじ山形成部の外形よりも小さい外形を有する請求項１に記載の容器用クロージャー。
【請求項６】
前記スカート部分に取り外し可能に連結した環状バンド部分と、および該バンド部分の内側に、かつ円周の周りに連続して広がる干渉フランジとを含む不正開封明示バンドを含む請求項１に記載の容器用クロージャー。
【請求項７】
前記上壁部分の内面から下方に広がるプラグシール要素を含み、該プラグシール要素が前記容器のネック部分の内面と密閉係合するために形成されている請求項１に記載の容器用クロージャー。
【請求項８】
前記取付けガイド要素が、前記１もしくは複数の内側ねじ山形成部の方向およびピッチに対応する螺旋形状を有する請求項１に記載の容器用クロージャー。
【請求項９】
不正開封明示包装体であって：
１もしくは複数の外側ねじ山形成部を規定するネック部分を有する容器と；および
容器の内容物を封入するために該容器に取付けるプラスチッククロージャーと
を含んでなり、
該クロージャーが、上壁部分と、該上壁部分から垂れ下がる環状スカート部分と、および該スカート部分に少なくとも部分的に取り外し可能に連結し、そしてそこから垂れ下がる不正開封明示盗み防止バンドとを含み、
該スカート部分が、該容器の該１もしくは複数の外側ねじ山形成部とそれぞれ係合するための１もしくは複数の内側ねじ山形成部を含み、該各内側ねじ山形成部はそれぞれの螺旋により規定され、そしてそれぞれが該上壁部分とは反対側にねじ山開始点を有し、
該スカート部分が、さらに該スカート部分の内面上に配置された少なくとも一つの取付けガイド要素を含み、該取付けガイド要素は内側ねじ山形成部の該ねじ山から離れており、そして該各ねじ山開始点から円周方向にずれており、該ガイド要素は該クロージャーの該容器へのねじ込み式取付けを容易にするために、該容器のネック部分の該１もしくは複数の外側ねじ山形成部の一つと係合可能である、
前記不正開封明示包装体。
【請求項１０】
前記容器の前記ネック部分が一つの外側ねじ山形成部を規定し、そして前記クロージャーの前記スカート部分が一つの内側ねじ山形成部を規定し、前記取付けガイド要素が該一つの内側ねじ山形成部のねじ山開始点に対して正反対にある、請求項９に記載の不正開封明示包装体。
【請求項１１】
前記容器の前記ネック部分が一対の外側ねじ山形成部を規定し、そして前記クロージャーの前記スカート部分が一対の内側ねじ山形成部を規定し、該スカート部分が複数の前記取付けガイド要素を含み、該各取付けガイド要素が該一対の内側ねじ山形成部のそれぞれ一つのねじ山開始点から約９０度円周方向に間隔を空けた点に中心が置かれている、請求項９に記載の不正開封明示包装体。
【請求項１２】
前記容器の前記ネック部分が複数の前記外側ねじ山形成部を規定し、そして前記クロージャーの前記スカート部分が複数の前記内側ねじ山形成部を規定し、該スカート部分が複数の前記取付けガイド要素を含み、該各取付けガイド要素が該複数の内側ねじ山形成部のそれぞれ一つのねじ山開始点から約Ｃ度円周方向に間隔が空けられ、ここでＣは１８０／Ｎに等しく、ここでＮは該内側ねじ山形成部の数に等しい、請求項９に記載の不正開封明示包装体。
【請求項１３】
前記取付けガイド要素が、前記１もしくは複数の内側ねじ山形成部の半径方向寸法より小さい半径方向寸法を有する、請求項９に記載の不正開封明示包装体。
【請求項１４】
前記取付けガイド要素が螺旋形状を有する請求項９に記載の不正開封明示包装体。
【請求項１５】
包装体を作成する方法であって：
１もしくは複数の外側ねじ山形成部を規定するネック部分を有する容器を準備する工程と；
容器の内容物を封入するために該容器に取付けるプラスチッククロージャーを準備する工程であって、該クロージャーが上壁部分と、および該上壁部分から垂れ下がる環状スカート部分とを含み、そして該スカート部分が、該容器の該１もしくは複数の外側ねじ山形成部とそれぞれ係合するための１もしくは複数の内側ねじ山形成部を含み、該各内側ねじ山形成部はそれぞれの螺旋により規定され、そしてそれぞれが該上壁部分とは反対側にねじ山開始点を有する、該工程と；
該スカート部分の内面に配置される少なくとも一つの取付けガイド要素を該スカート部分に備えることを含む工程であって、該取付けガイド要素は内側ねじ山形成部の該ねじ山から離れ、そして該各ねじ山開始点から円周方向にずれている、該工程と；
一般に該スカート部分の該内側ねじ山形成部の一つと、該１もしくは複数の外側ねじ山形成部の一つとが係合すると同時に、該ガイド要素が該容器のネック部分の該１もしくは複数の外側ねじ山形成部の一つと係合して該クロージャーと該容器との同軸関係を維持するように、該クロージャーを該容器に回転可能に取付ける工程と、
を有する該包装体の作成法。
【請求項１６】
前記スカート部分から垂れ下がり、そしてそれに少なくとも部分的に取り外し可能に連結した不正開封明示盗み防止バンドを前記クロージャーに設ける工程を含む、請求項１３
に記載の包装体の作成法。
【請求項１７】
前記取付けガイド要素が螺旋形状を有する請求項１３に記載の包装体の作成法。
【発明の詳細な説明】
【技術分野】
【０００１】
本発明は、一般にボトルなどの容器に使用するためのねじ込み式プラスチッククロージャーに関し、より詳細には、容器のクロージャーおよび包装体に関し、ここでクロージャーは高速蓋締め機（ｃａｐｐｉｎｇ  ｅｑｕｉｐｍｅｎｔ）でクロージャーを容器に正しく取り付けるための取付けガイド（ａｐｐｌｉｃａｔｉｏｎ  ｇｕｉｄｅ）機能を含む。
【背景技術】
【０００２】
ねじ込み式プラスチッククロージャーは、炭酸および非炭酸飲料を包装する用途を含め、ボトルなどの容器で使用するために市場で広く受け入れられるようになった。この性質のクロージャーは圧縮または射出成形により適切なポリマー材料から形成され、そして合わせる容器からの部分的または完全な取り外しに伴う不正開封明示（ｔａｍｐｅｒ−ｅｖｉｄｅｎｔ）または不正開封表示（ｔａｍｐｅｒ−ｉｎｄｉｃａｔｉｎｇ）機能を提供するように形成することができる。不正開封明示包装体には、望ましい不正開封明示を提供するために合わせる容器と協同するように形成された不正開封明示クロージャーを含む。
【０００３】
不正開封明示クロージャーおよび包装体の経済的な使用は、クロージャーをそれぞれの容器へ効率的に高速で取り付けるように形成された高速瓶詰および蓋締め機の使用により促進される。経済的な使用は、クロージャーを容器に高速で取り付ける時の誤適用（ｍｉｓａｐｐｌｉｃａｔｉｏｎ）を回避することにより促進されることと理解されよう。
【０００４】
クロージャーの誤適用は、クロージャーが「コックされる（ｃｏｃｋｅｄ）」ことになるか、さもなければクロージャーが回転可能に付けられた時に容器と不整列となり（ｍｉｓａｌｉｇｎｅｄ）、そして容器のネックの外側ねじ山にねじ込まれる場合に起こる可能性がある。経験的にクロージャーの不正開封明示部分の機能は、誤適用を起こす可能性があることが示され、例えばこれはクロージャーの盗み防止バンド（ｐｉｌｆｅｒ  ｂａｎｄ）上の突起または同様な不正開封明示機能が容器のねじ山と係合し、クロージャーを取付チヤックから一部引っ張るように作用し、クロージャーのコッキング（ｃｏｃｋｉｎｇ）を生じるような場合に起る可能性がある。場合によっては取付装置自体が取付け欠陥を起こす恐れがあり、例えばこれはボトルが合わせるクロージャーからわずかにずれたり、あるいはクロージャーに対してわずかに傾いたりしている場合に起こる可能性がある。
【０００５】
本発明は、クロージャーの容器への高速取付けを促進すると同時に、望ましくない不整列、コッキングおよび他の誤適用欠陥を回避する不正開封明示クロージャー、および不正開封明示クロージャーと容器の包装体を対象とする。
【発明の概要】
【課題を解決するための手段】
【０００６】
本発明の原理を具現する包装体は、プラスチッククロージャー、および１もしくは複数の外側ねじ山形成部を規定するネック部分を有する容器を含む。このクロージャーは中の内容物を封入するために、容器にねじ込み式で取付けられるように形成される。この包装体は炭酸および非炭酸飲料、ならびに他の製品に使用するために適している。
【０００７】
本発明のクロージャーは、上壁部分、および該上壁部分から垂れ下がる環状スカート部分を含む。クロージャーは、クロージャーのスカート部分に少なくとも一部取り外し可能に連結され、そしてそこから垂れ下がる不正開封明示用の盗み防止バンドを含むことができる。
【０００８】
スカート部分は、合わせる容器の１もしくは複数の外側ねじ山形成部とそれぞれ係合するための１もしくは複数の内側ねじ山形成部を含む。各内側ねじ山形成部はそれぞれの螺旋により規定され、各ねじ山形成部がクロージャーの上壁部分と反対側にねじ山開始点（ｔｈｒｅａｄ  ｓｔａｒｔ）を有する。
【０００９】
本発明によればクロージャーのスカート部分は、クロージャーに随伴した盗み防止バンドの上のスカート部分の内面に配置された少なくとも一つの取付けガイド要素をさらに含む。この取付けガイド要素は好ましくはねじ区分として形成され、かつ螺旋形状を有し、そしてクロージャーと容器との最初の接触に際して容器の外側ねじ山形成部と係合するように形成されている点に注目されたい。この取付けガイド要素は、容器のねじ山形成部を本質的に引っかけるか（ｈｏｏｋ）、またはその下を摺動し、そしてクロージャーを完成品の容器のネック部分上に真っ直ぐに保持し、しかもクロージャーが傾いたりコッキングしたりすることを防ぐ抵抗部材として作用することを企図する。
【００１０】
このために取付けガイド要素は、ガイド要素をクロージャーのねじ山形成部の一つと同じ螺旋上に配置することが製品の性能を損なうと考えられるので、クロージャーの１もしくは複数の内側ねじ山形成部により規定される各螺旋から垂直方向に中心線が外れている（ｏｆｆｓｅｔ）ことが好ましい。取付けガイド要素はクロージャーのねじ山形成部の各ねじ山開始点から円周方向にずれている（ｄｉｓｐｌａｃｅｄ）ことが好ましい。このように取付けガイド要素は、クロージャーの容器へのねじ込み式取付けを促進するために、容器のネック部分の１もしくは複数の外側ねじ山形成部と係合可能である。クロージャーのコッキング、傾きまたは他の誤適用なしでの高速の取り付けは、クロージャーを容器にバランス良く取付けるように望ましく作用するガイド要素を用いて促進される。
【００１１】
取付けガイド要素の具体的形状は、具体的なクロージャーの形状に依存して変動することができる。現在好ましい態様では、ガイド要素はスカート部分の内面でクロージャーの円周方向に広がり、ガイド要素はクロージャーの円周の周りに１８０°未満で広がっている。合わせる容器のネック部分が一つの外側ねじ山形成部を規定し、そしてクロージャーのスカート部分が一つの内側ねじ山形成部を規定する場合、取付けガイド要素は好ましくは一つの内側ねじ山形成部のねじ山開始点から約１８０°円周方向に間隔を空けた点に中心が置かれ、すなわちガイド要素はそのねじ山開始点とは正反対にある。
【００１２】
対照的に、容器のネック部分が複数の外側ねじ山形成部を規定し、そしてクロージャーのスカート部分が複数の内側ねじ山形成部を規定する場合、クロージャーのスカート部分は複数の取付けガイド要素を含むことができる。この形状では、各取付けガイド要素は複数の内側ねじ山形成部のそれぞれのねじ山開始点から約９０°円周方向に間隔を空けた点に中心が置かれる。クロージャーの取付けガイド要素は、クロージャーの１もしくは複数の内側ねじ山形成部と同じ螺旋上には提供されないと企図する。現在、ガイド要素はクロージャーの内側ねじ山形成部の外形より小さい外形を有することが好ましく、すなわちガイド要素は容器のねじ山形成部との係合または「引っかけ」を促進するために十分に小さいが、ガイド要素が外れ難くするめに十分に大きく、したがってガイド要素は合わせる容器との望ましい配列機能を確実に提供するものである。
【００１３】
１もしくは複数の取付けガイド要素の厚さは、１もしくは複数のガイド要素により覆われる角度の量に対する関係を有することになる。ガイド要素の厚さが増すと、通常はそれが容器のねじ山形成部と係合する、またはそれを「引っかける」能力を抑えずに容器を覆う、または係合することができる容器の角度の量は下がる。
【００１４】
クロージャーの直径は、ガイド要素の厚さおよびその円周方向の広がりの両方に関して、取付けガイド要素の潜在的寸法に影響を及ぼすことになると企図する。クロージャーが
傾くことができる度合いは、クロージャーの高さ、クロージャーの直径およびこれら二つの寸法間の関係に影響されることになる。
【００１５】
少なくとも一つの取付けガイド要素を有するクロージャーを含む包装体の作成法も開示する。
【００１６】
他の特徴および利点は以下の詳細な説明、添付する図面および添付した特許請求の範囲から容易に明白になるだろう。
【図面の簡単な説明】
【００１７】
【図１】本発明の原理を具現するクロージャーの断面線図である。
【図２】図１に示すクロージャーのさらなる断面線図である。
【図３】合わせる容器に嵌めた図１および２のクロージャーを具体的に説明する線図である。
【図４】本発明の原理を具現する不正開封明示クロージャーを含む本発明の原理を具現する不正開封明示包装体のＸ線画像である。
【図５】本発明の原理を具現するクロージャーの図解的な等角図である。
【発明を実施するための形態】
【００１８】
詳細な説明
本発明は様々な形態の態様が可能であり、現在好適な態様を図面で示し、そしてこれから記載するが、本開示は本発明の例示と考えられ、具体的に説明する特定の態様に本発明を限定しないことを意図していると理解される。
【００１９】
図面を参照にして、図１および図２で本発明の原理を具現するプラスチッククロージャー１０を具体的に説明する。プラスチッククロージャー１０は、ポリプロピレン、ポリエチレン、コポリマー等のような当該技術分野で知られているポリマー材料から効率的に成形することができる。効率的形成は、射出成形または圧縮成形により行うことができる。
【００２０】
具体的に説明する態様では、クロージャー１０は上壁部分１２、および上壁部分１２から垂れ下がる環状スカート部分１４を含む。具体的に説明する態様では、クロージャー１０は所謂「ライナーレス」クロージャーであり、その点でクロージャーは上壁部分１２の内面に配置される別個のシールライナー要素を含まない。むしろクロージャー１０は、上壁部分１２の内面から垂れ下がる一体形成されたプラグシール要素１６を含む。このプラグシール要素１６は、本不正開封明示包装体の合わせる容器２０のネック部分の一般に内側に面する表面と協同的に密閉係合するような寸法で形成されている。
【００２１】
クロージャー１０は、本不正開封明示包装体を形成するために、合わせる容器２０に螺嵌（ｔｈｒｅａｄｅｄ  ｆｉｔｍｅｎｔ）するように形成される。このために容器２０は少なくとも一つの外側ねじ山形成部２２を含み、一方クロージャー１０は少なくとも一つの合っている内側ねじ山形成部をスカート部分１４の内面上に含む。具体的に説明する態様では、クロージャー１０は複数の内側ねじ山形成部を含み、各ねじ山形成部が容器２０の外側ねじ山形成部２２とそれぞれ協同的に係合するように形成された複数のねじ区分２４を含んでなる。ねじ区分２４を含んでなる不連続な内側ねじ山形成部の使用は、内側ねじ山形成部の分割型形状によりクロージャーの取り出しに伴う包装体内からのガス抜き、および容器から密封要素の開封を促進するので、炭酸を含むかまたはそうではなく加圧さ
れた内容物を有する合わせる容器にクロージャーを嵌合させる取付けに好適である。ねじ区分２４から形成された各内側ねじ山形成部がそれぞれの螺旋を規定し、具体的に説明する態様では複数の内側ねじ山形成部がこのようにそれぞれに複数の螺旋を規定する。
【００２２】
具体的に説明する態様では、クロージャー１０は不正開封表示のために形成され、すなわちクロージャーが一部または完全に合わせる容器２０からすでに取り出されたことが明らかに見てわかる証拠を提供するように形成される。このためにクロージャー１０はスカート部分１４から垂れ下がり、そして少なくとも部分的に取り外し可能に連結した盗み防止バンド３０を含む。具体的に説明する態様では、盗み防止バンド３０は、スカート部分１４の下縁に少なくとも部分的に取り外し可能に連結した環状バンド部分３２、および環状バンド部分３２の内側で、その円周の周りに連続的に広がる干渉フランジ３４を含んでなる。この干渉フランジ３４は、容器２０の適切な環状ロッキングリングまたは同様な要素との協同的係合のために形成され、これにより容器に対してクロージャーを開ける動きで、盗み防止バンド３０の環状バンド部分３２が少なくとも一部または完全にスカート部分１４の下縁から取り外される。
【００２３】
本発明によればクロージャー１０は、クロージャーのスカート部分１４の内面に配置された少なくとも一つの取付けガイド要素４０を含む。取付けガイド要素の具体的形状は、本明細書に開示する原理を維持しつつ変動させることができる。しかし取付けガイド要素は、高速取付け装置によるようにクロージャーが容器に取付けられる場合、容器２０の外側ねじ山形成部２２と係合することを意図したスカート部分の内面の突起であると理解されよう。この様式で取付け中、欠陥包装体を不本意に生じる恐れがあるクロージャーの容器への誤適用を回避するために、クロージャー１０の容器に対するいかなる「コッキング」、傾き、または他の不整列も回避することが望ましい。
【００２４】
このために、取付けガイド要素はクロージャー１０の各内側ねじ山形成部のねじ山開始点に対して円周方向に間隔を空けた関係で配置される。このねじ山開始点は、クロージャーの開放末端（上壁部分１２の反対側）の最も近くに配置された各内側ねじ山形成部の一部であり、各内側ねじ山形成部のねじ山開始点は、通常、容器２０のそれぞれの外側ねじ山形成部２２の下面と最初に接触し、そして係合することになるねじ山形成部の部分である。
【００２５】
本発明の開発は、クロージャー１０が一つの内側ねじ山形成部を含む場合に、取付けガイド要素４０を、一般に内側ねじ山形成部のねじ山開始点に対して正反対の関係で配置することが特に好適であると示された。すなわち容器２０が一つの外側ねじ山形成部２２を含み、そしてクロージャー１０が一つの内側ねじ山形成部を含む場合、クロージャーは一つの内側ねじ山形成部のねじ山開始点に対して正反対の関係で配置された一つの取付けガイド要素４０を含むことが好ましく、すなわち取付けガイド要素は、一つの内側ねじ山形成部のねじ山開始点から円周方向に約１８０°間隔を空けた点が中心になるように配置される。
【００２６】
対照的に、容器２０が一対の外側ねじ山形成部を含み、そしてクロージャーが一対の内側ねじ山形成部を含む場合、各取付けガイド要素は一対の内側ねじ山形成部のそれぞれ一つのねじ山開始点から円周方向に約９０°間隔を空けた点が中心になることが好ましい。このように一般的に言えば現時点で、取付けガイド要素は１もしくは複数の内側ねじ山形成部のそれぞれ一つのねじ山開始点から円周方向に約”Ｃ”度間隔が空けられ（クロージャーの開放末端から見て、ねじ山開始点から反時計回りに）、ここで”Ｃ”は１８０／Ｎに等しく、ここでＮはクロージャーにより定められる内側ねじ山形成部の数に等しい。
【００２７】
取付けガイド要素の円周方向の広がりは、具体的な応用に依存して変動することができ
るが、通常はクロージャーの円周の周りに約１８０°未満、そしてより好ましくはクロージャーの円周の周りに約３０°未満で広がる。取付けガイド要素は、クロージャー２０の１もしくは複数の内側ねじ山形成部の外形よりも小さい外形を有することが好ましい。特に取付けガイド要素は、１もしくは複数の内側ねじ山形成部の半径方向寸法よりも小さい半径方向寸法を有することが好ましい。
【００２８】
取付けガイド要素は、内側ねじ山形成部により規定される螺旋に対して垂直方向に中心線が外れる関係でクロージャー１０のスカート部分の内面に配置されることが現在好適である。この関係を図２で具体的に説明し、ここで破線Ｅはねじ係合の高さを示し、一般に各内側ねじ山形成部により規定される螺旋の下に垂直方向に中心線が外れている。取付けガイド要素４０は一般にこのねじ係合の高さで配置されることに注目されたい。ガイド要素４０の具体的形状は、本発明の原理を維持しつつ変動させることができるが、ガイド要素は内側ねじ山形成部２２の方向およびピッチに対応する螺旋形状を有するねじ区分として形成されることが現在好適である。
【００２９】
取付けガイド要素４０と容器２０の外側ねじ山形成部２２の下面との係合は、図３で図表により具体的に説明する。取付けガイド要素４０が合わせる容器に取付けられた時、取付けガイド要素４０がそこに説明されるクロージャーとして示されている図４のＸ線画像も参照にする。このＸ線画像では、合わせたクロージャーの内側ねじ山を見ることができるように、容器の外側ねじ山を見ることができる。クロージャーのプラグシール要素は合わせる容器には未だ入っておらず、このＸ線画像ではクロージャーが容器に部分的に取付られているだけであることを示している点に留意されたい。
【００３０】
このようにクロージャー１０が容器２０に回転可能に取付けられる場合、一般にクロージャーのスカート部分の内側ねじ山形成部の一つと容器の外側ねじ山形成部の一つとの係合と同時に、ガイド要素４０は容器のネック部分の外側ねじ山形成部２２の一つと係合する。これはクロージャーの正しい嵌合のために、容器と同軸関係にクロージャーを維持すために望ましく作用する。
【００３１】
クロージャーの取付け中、ガイド要素４０は、クロージャーの内側ねじ山形成部２２が容器のねじ山と十分に係合してクロージャーを容器と同軸関係に維持するまで、クロージャー１０のコッキングまたは不整列を防止するように十分な程度、外側の容器のねじ山に係合することを企図している。その後、好ましくはねじ山形成部よりも小さい外形を有するガイド要素のサイズにより、ガイド要素がクロージャーの容器への連続的ねじ込み式取付けを妨害することを防ぐ。ガイド要素は好ましくは螺旋状に形成されているが、ガイド要素がクロージャーと容器との正常なねじ込み式係合に影響を及ぼすことを意図しない。むしろガイド要素は、クロージャーのねじ山と容器のねじ山との望ましいねじ込み式係合を可能にする程度まで十分に容器のねじ山と係合し、そして「引っかける」ことを意図している。
【００３２】
クロージャーを取り出す間、同様な配列機能が取付けガイド要素により望ましく与えられることに注目されたい。クロージャーの取り出し中、クロージャーの内側ねじ山形成部を容器の外側ねじ山形成部から外す直前に、ガイド要素が無いクロージャーはコックまたは傾く可能性があり、これが例えば炭酸内容物を含有する包装体からガス圧が抜ける前にクロージャーが容器から外れるという望ましくない結果を生じる可能性がある。ねじ山開始点に向かい合うガイド要素を設けると、これが取り出し中にクロージャーと容器の配列を維持するように望ましく作用し、したがって包装体からガス圧が抜けるまでに十分な間、クロージャーと容器との係合を維持する。
【００３３】
このように本発明の取付けガイド要素は、高速取付けに伴ってクロージャーと合わせる
容器とが「バランスがとれて」係合するように望ましく作用すると理解されよう。取付けガイド要素の包含により、クロージャーの取付け中の比較的早期に行われるクロージャーと容器との正しい配列が望ましくもたらされる。既存の製品では、通常、傾き、コックまたは不整列の傾向が最少となるまでにクロージャーのねじ山と容器のねじ山の１８０°ものねじ込み式係合が必要とされる。これが別個のシールライナーを含む標準的クロージャーについて、取付け欠陥の機会が不本意にも上がる特徴である。この取付けに関する問題は、ライナーレスクロージャーでより一層深刻となり、特に所謂拡大プラグシールを有するクロージャーでそうであり、この場合、クロージャーのコッキングまたは不整列が、プラグと容器のネック部分の内部との不適切な係合を不本意にも導く恐れがある。これによりプラグは完全に内側ではなく一部がボトルの外側に存在する望ましくない可能性が生じ、そして一般には密閉の問題を引き起こすことになる。
【００３４】
本発明の取付けガイド要素の最適な配置により、クロージャーの傾きは、容器のねじ山との主要なクロージャーのねじ込み式係合の４５°以内で最少化できるようになる。これは高速のクロージャー取付けと関連して、いかなる装置の配列に関する問題に対してもクロージャーの構造安定性（ｒｏｂｕｓｔｎｅｓｓ）に極めて望ましい影響を有する。
【００３５】
これまでの記載から、数々の修飾および変形が本発明の新規概念の真の精神および範囲から逸脱せずに行うことができると考察されよう。本明細書で説明する具体的態様に対して限定はしないことを意図し、そして推定されるべきであると理解される。本開示は添付する特許請求の範囲により網羅されることを意図しており、すべてのそのような修飾は特許請求の範囲内にある。
【図１】
2015521139.tif 000003
【図２】
2015521139.tif 000004
【図３】
2015521139.tif 000005
【図４】
2015521139.tif 000006
【図５】
2015521139.tif 000007
【国際調査報告】
2015521139.tif 000008